(57)【要約】      （修正有）【課題】安価かつ確実にケーブルの引き回しが行え、収納箱へのプリント配線板の収納を容易にすることが出来るケーブル処理構造を提供する。【解決手段】ケーブル処理構造は、プリント配線板１端面に、ケーブル５の収納処理を行なう切欠き部２を複数箇所設け、かつ前記切り欠き部２は、ケーブル５が通過するスリット部４と、ケーブル５がプリント配線板１端面より突出しないよう壁部３を設け、この切り欠き部２に前記ケーブル５を掛合引き回しする構造とした。【選択図】図１
2009111317.tif 000002
【特許請求の範囲】
【請求項１】
各種電子部品及び他部品と接続するためのケーブルが取り付けられ、収納箱に収納されるプリント配線板のケーブル引き回し処理に於いて、プリント配線板端面に前記ケーブルの収納処理を行なう切り欠きを複数箇所設け、かつ前記切り欠きは、ケーブルが通過するスリット部と、ケーブルがプリント配線板端面より突出しないよう壁部を設け、この切り欠き部に前記ケーブルを掛合引き回ししたことを特徴とするケーブル処理構造。
【請求項２】
スリット形状を、ケーブルの引き回し方向に対して手前より前方に向けてテーパ形状にしたことを特徴とする請求項１記載のケーブル処理構造。
【請求項３】
プリント配線板端面のエッジによるケーブルの被覆保護のため、保護用のチューブにケーブルを貫通させた後、切り欠きに収納したことを特徴とする請求項１記載のケーブル処理構造。
【発明の詳細な説明】
【技術分野】
【０００１】
本発明は、プリント配線板から他部品に接続するためのケーブルの引き回しを容易にするケーブル処理構造に関するものである。
【背景技術】
【０００２】
従来のプリント配線板上のケーブル配線構造として、図５に示すように、プリント配線板の側縁部に設けた切欠が開口するように平行に近接して形成された２条のスリットと、そのスリットによって構成された片持舌片とを備え、配線ケーブルを、スリットを経て片持舌片の他方の面に迂回させて掛合配線した構造があった（例えば、特許文献１参照）。
【特許文献１】特開平５−８２９８２号公報
【発明の開示】
【発明が解決しようとする課題】
【０００３】
しかしながら、クランプ部品を使用する場合は、その使用数量によりコストがかかってしまい不経済であった、又、文献１の発明では、プリント配線板に設けたスリットにケーブルを掛合配線しただけであるため、収納したケーブルがプリント配線板端面よりはみ出してしまい、収納箱にプリント配線板を収納する際に不便である。
【０００４】
本発明は、前記従来の課題を解決するもので、プリント配線板より引き回されるケーブルの処理を安価かつ確実に行ない、プリント配線板の収納箱への収納を容易にすることを目的とするもので有る。
【課題を解決するための手段】
【０００５】
前記従来の課題を解決するために、本発明のケーブル処理構造は、プリント配線板端面に前記ケーブルの収納処理を行なう切欠きを複数箇所設け、かつ前記切り欠きは、ケーブルが通過するスリット部と、ケーブルがプリント配線板端面より突出しないよう壁部を設け、この切り欠き部に前記ケーブルを掛合引き回しする構造とするものである。
【発明の効果】
【０００６】
本発明のケーブル処理構造は、プリント配線板端面に前記ケーブルの収納処理を行なう切欠きを設け、この切り欠きはケーブルがプリント配線板端面より突出しないよう壁部を設け、この切り欠き部に前記ケーブルを掛合引き回しすることにより、安価かつ確実にケーブルの引き回しが行なえ、収納箱へのプリント配線板の収納を容易にすることが出来る構造を実現するものである。
【発明を実施するための最良の形態】
【０００７】
第１の発明は、プリント配線板より他部品へ接続されるケーブルを、プリント配線板端面に、そのケーブルの収納処理を行なう切欠きを複数設け、又、この切り欠きは、ケーブルが通過するスリット部と、ケーブルがプリント配線板端面より突出しないよう壁部を設け、前記ケーブルを掛合引き回しすることにより、安価かつ確実にケーブルの引き回し処理を行なうことが出来る。
【０００８】
第２の発明は、特に第１の発明のスリット部形状を、ケーブルの引き回し方向に対して手前より前方に向けたテーパ形状にすることにより、ケーブルを容易に切り欠きに誘い込み、収納することが出来る。
【０００９】
第３の発明は、特に第１、２の発明のプリント配線板端面に設けた切り欠きに収納され
るケーブルを、保護用チューブに貫通させることにより、プリント配線板の切り欠き端面エッジによるケーブル被覆の損傷を保護することが出来る。
【００１０】
（実施の形態１）
以下、本発明の実施の形態について図面を参照しながら説明する。図１は本発明の第１の実施形態におけるケーブル処理構造の平面図、図２は同側面図である。
【００１１】
１はプリント配線板でその表面には、電子部品７及び、各種線径のケーブル５が、はんだ１０により接続され、そのケーブル５の他端には、他部品との接続を行なうためのコネクタ６等の接続部品が接続されている。２はプリント配線板１の端面に設けられた切り欠き部であり、前記ケーブル５の総本数の収納に見合った大きさの寸法でプリント配線板１の同一端面に少なくとも２ヶ以上加工形成されている。３は前記、切り欠き部1)内に収納されたケーブル５がプリント配線板１の端面より突出するのを防ぐために設けられた壁部で、この壁部３と対向するプリント配線板１の他端面までの開口スリット部４のスリット幅は、少なくとも線径の一番太いケーブル５が通過出来る幅以上の寸法で加工形成されている。
【００１２】
本構成により、ケーブル５はプリント配線板１上にはんだ１０により接続固定された後、その引き回し方向に対して手前に設けられたスリット部４を通過した後、切り欠き部２に収納され、プリント配線板１の裏面に引き回された後、その前方に配置された切り欠き部２に、前記同様にケーブル５を収納し、ケーブル５を表面に引き回すことで引き回し処理を完了する。
【００１３】
この状態で収納箱８に収納され、ネジ９により収納箱８に固定される。前記構造によりケーブル５はクランプ部品等を用いる事無く、又、ケーブル５がプリント配線板１の端面より突出することが無いため容易に収納箱８に収納作業を行なうことが出来る。
【００１４】
（実施の形態２）
図３は本発明の第２の実施形態を説明する平面図で、前記、第１の実施形態にて説明したスリット部４の形状を、ケーブル５の引き回し方向に対して手前より前方に向けたテーパ形状にすることにより、ケーブル５を容易に切り欠き部２に誘い込み収納することが出来る。
【００１５】
（実施の形態３）
図４は本発明の第３の実施形態を説明する側面図で、前記、第１の実施形態にて説明した切り欠き部２に収納されるケーブル５を、保護用チューブ１１に貫通させた後収納することにより、切り欠き部２の端面エッジによるケーブル５の被覆損傷を保護することが出来る
【産業上の利用可能性】
【００１６】
以上のように、本発明のケーブル処理構造は、プリント配線板端面に簡単な部品ランド形状の変更により、良好なはんだ付け品質を確保することが可能となるプリント配線板を提供出来るものである。
【図面の簡単な説明】
【００１７】
【図１】本発明の実施の形態１におけるケーブル処理構造の平面図
【図２】本発明の実施の形態１におけるケーブル処理構造の側面図
【図３】本発明の実施の形態２におけるケーブル処理構造の平面図
【図４】本発明の実施の形態３におけるケーブル処理構造の側面図
【図５】従来のケーブル処理構造の平面図
【符号の説明】
【００１８】
１  プリント配線板
２  切り欠き部
３  壁部
４  スリット部
５  ケーブル
６  コネクタ
７  電子部品
８  収納箱
９  ネジ
１０  はんだ
１１  保護チューブ
【図１】
2009111317.tif 000003
【図２】
2009111317.tif 000004
【図３】
2009111317.tif 000005
【図４】
2009111317.tif 000006
【図５】
2009111317.tif 000007